(57)【要約】【課題】発泡層とバックシートとの接着が強固で、発泡層の紫外線による劣化、発泡樹脂の発泡時における漏れの防止が図れながら、静電気による人間への衝撃を防止できる。【解決手段】表面材１とバックシート２との間に発泡樹脂を発泡充填して形成して発泡層３を有する建築用パネルである。バックシート２の内面側を発泡層３に発泡樹脂の発泡時の自己接着力により接着する不織布４により構成すると共に該バックシート２の外面側に不織布４から発泡樹脂が漏れるのを防止し且つ遮光性も持たせるための樹脂層５を形成する。【選択図】　　　　図１
2004027617.tif 000002
【特許請求の範囲】
【請求項１】
表面材とバックシートとの間に発泡樹脂を発泡充填して形成した発泡層を有する建築用パネルであって、バックシートの内面側を発泡層に発泡樹脂の発泡時の自己接着力により接着する不織布により構成すると共に該バックシートの外面側に不織布から発泡樹脂が漏れるのを防止し且つ遮光性も持たせるための樹脂層を形成して成ることを特徴とする発泡層を有する建築用パネル。
【請求項２】
ガラス不織布と、ポリエチレン層、ポリエチレンテレフタレート層を内側から外側にかけて順に積層してバックシートを構成し、ポリエチレン層、ポリエチレンテレフタレート層のいずれか一方又は両方が着色又は模様付けしてあることを特徴とする請求項１記載の発泡層を有する建築用パネル。
【請求項３】
ガラス不織布の外面にポリエチレン樹脂を塗布してバックシートを構成してあることを特徴とする請求項１記載の発泡層を有する建築用パネル。
【発明の詳細な説明】
【０００１】
【発明の属する技術分野】
本発明は、発泡層を有する建築用パネルに関するものである。
【０００２】
【従来の技術】
従来から浴室ユニットのような水廻りに使用する建築用パネルＡとして、図１に示すように表面材１とバックシート２との間に発泡樹脂を発泡充填して形成した発泡層３を有する建築用パネルが知られている。ここで、従来にあっては、表面材１の周囲に突片１０を突設し、突片１０に囲まれた部分に発泡樹脂を充填し、突片１０に囲まれた部分の上をバックシート２により覆い、発泡樹脂を発泡させて表面材１とバックシート２との間に発泡層３を形成するようにしている。
【０００３】
ここで、従来のバックシート２は図４に示すように不織布４とアルミ箔３０とは接着剤３１としてのポリエチレン樹脂により接着したものである。すなわち、バックシート２は表面材１と裏面材との間にウレタンのような発泡樹脂を充填して発泡させて表面材１と裏面材との間に発泡層３を形成する際、発泡樹脂の発泡時の自己接着力により接着しやすいようにすることと補強の目的で内面側は不織布４となっており、また、外面側は発泡樹脂の発泡時に発泡樹脂が外部に漏れるのを防止し且つ遮光性を持たせて発泡層３の紫外線劣化をはかるために従来にあってはアルミ箔３０となっている。
【０００４】
ところが、従来にあっては上記のように最外層がアルミ箔３０となっているため、ウレタンのような発泡樹脂の発泡時に生じる静電気がアルミ箔３０に帯電し、人間が接触した瞬間に静電気による電流が人に流れて人間に衝撃を与える可能性が非常に高く、大変危険であるという問題がある。
【０００５】
【発明が解決しようとする課題】
本発明は上記の点に鑑みてなされたものであり、発泡層とバックシートとの接着が強固で、発泡層の紫外線による劣化、発泡樹脂の発泡時における漏れの防止が図れながら、静電気による人間への衝撃を防止できる発泡層を有する建築用パネルを提供することを課題とするものである。
【０００６】
【課題を解決するための手段】
上記課題を解決するために本発明に係る発泡層を有する建築用パネルは、表面材１とバックシート２との間に発泡樹脂を発泡充填して形成した発泡層３を有する建築用パネルであって、バックシート２の内面側を発泡層３に発泡樹脂の発泡時の自己接着力により接着する不織布４により構成すると共に該バックシート２の外面側に不織布４から発泡樹脂が漏れるのを防止し且つ遮光性も持たせるための樹脂層５を形成して成ることを特徴とするものである。このような構成とすることで、バックシート２の内面側が不織布４であるため、発泡樹脂を表面材１とバックシート２との間に注入して発泡させた場合に発泡樹脂がバックシート２の内面側の不織布４に浸透して発泡樹脂の自己接着力により固化するのでバックシート２と不織布４との接着が強固に行えるものであり、また、不織布４を設けることでバックシート２の補強が行われる。一方、不織布４から発泡樹脂が漏れるのを防止すると共に遮光性も持たせるための樹脂層５を設けることで、不織布４から発泡樹脂が外に漏れるのが防止でき、更に、紫外線により発泡層が劣化するのが防止でき、しかも、外面側が絶縁体である樹脂層５であるので、電流が流れにくく、従来のようにアルミ箔を用いたものに比べて静電気による人間への衝撃がないものである。
【０００７】
また、ガラス不織布４、ポリエチレン層、ポリエチレンテレフタレート層を内側から外側にかけて順に積層してバックシート２を構成し、ポリエチレン層、ポリエチレンテレフタレート層のいずれか一方又は両方が着色又は模様付けしてあることが好ましい。このような構成とすることで、簡単な構成で発泡樹脂との接着性が良好で、強度が強く、発泡樹脂の外への漏れ防止、紫外線よる発泡層の劣化防止が図れるとともに静電気による人間への衝撃がないようにできるものである。
【０００８】
また、ガラス不織布４の外面にポリエチレン樹脂を塗布してバックシート２を構成してあることが好ましい。このような構成とすることで、簡単な構成で発泡樹脂との接着性が良好で、強度が強く、発泡樹脂の外への漏れ防止、紫外線よる発泡層の劣化防止が図れるとともに静電気による人間への衝撃がないようにできるものである。
【０００９】
【発明の実施の形態】
以下、本発明を添付図面に示す実施形態に基づいて説明する。
【００１０】
図１には本発明の一実施形態が示してある。表面材１はＦＲＰのような合成樹脂により形成してあり、裏面の外周に突片１０が突設してあり、該表面材１の裏面側を上にし、表面材１の裏面側の突片１０に囲まれた凹部にウレタンのような発泡樹脂を注入し、突片１０に囲まれた凹部の上開口をバックシート２により遮蔽し、この状態でウレタンのような発泡樹脂を発泡させて表面材１とバックシート２との間に発泡樹脂を発泡充填して発泡層３が形成されて、発泡層３を有する建築用パネルＡを形成してある。この建築用パネルＡは表面材１側が表面となるものであり、例えば、浴室ユニットの壁パネルなどとして用いられ、発泡層３を有することで、断熱性に優れたものである。
【００１１】
ところで、本発明においては、バックシート２の内面側を発泡層３に発泡樹脂の発泡時の自己接着力により接着する不織布４（実施形態においてはガラス不織布４）により構成すると共に該バックシート２の外面側に不織布４から発泡樹脂が漏れるのを防止し且つ遮光性も持たせるための樹脂層５を形成した点に特徴がある。
【００１２】
具体的構成としては例えば図２に示すように、ガラス不織布４、ポリエチレン層、ポリエチレンテレフタレート層を内側から外側にかけて順に積層してバックシート２を構成してある。ここで、ポリエチレンテレフタレート層はポリエチレンテレフタレート（ＰＥＴ）製の樹脂シートである。このポリエチレンテレフタレート（ＰＥＴ）製の樹脂シートにより外面側の樹脂層５を形成してある。そして、中間のポリエチレン層は内面側のガラス不織布４と外面側のポリエチレンテレフタレート（ＰＥＴ）製の樹脂シートによりなる樹脂層５とを接着するための接着用の樹脂５ａである。ここで、ポリエチレン層、ポリエチレンテレフタレート層の少なくとも一方又は両方が着色又は模様付けしてあって遮光性を備えている。
【００１３】
しかして、本実施形態においては、バックシート２の内面側がガラス不織布４であるため、ウレタンのような発泡樹脂を表面材１とバックシート２との間に注入して発泡させた場合に発泡樹脂がバックシート２の内面側の不織布４に浸透して発泡樹脂の自己接着力により固化し、バックシート２と不織布４とが強固に接着されることになる。また、ガラス不織布４内に発泡樹脂が浸透して硬化一体化するためバックシート２の補強が行われるものである。
【００１４】
一方、不織布４には上記のように発泡樹脂が浸透するので、浸透した発泡樹脂が外部に漏れようとするが、バックシート２の外面側の樹脂層５により発泡樹脂が外部に漏れるのを防止するものであり、また、バックシート２の外面側の樹脂層５には前述のように遮光性も持たせているので、紫外線により発泡層が劣化するのが防止できるものである。更に、ウレタンのような発泡樹脂の発泡時に静電気が発生してもバックシート２は内面側がガラス不織布４、外面側が樹脂層５であるため人が接触する外面側が絶縁体となって電流が流れにくく、バックシート２の外面側に人が触れても従来のように静電気による人間への衝撃がないものである。また、上記の構成のバックシート２はカッターナイフで容易に切断できるものであり、建築用パネルＡの成形時にはみ出したバックシート２の外へのはみ出し部分を容易にカッターナイフで切断することができるものである。
【００１５】
次に、本発明の他の実施形態につき説明する。バックシート２以外は前記実施形態と同様なので、以下バックシート２につき説明する。本実施形態に用いるバックシート２は図３に示すように、ガラス不織布４の外面に着色ポリエチレン樹脂を塗布して着色ポリエチレン樹脂により樹脂層５を形成している。
【００１６】
本実施形態においてもバックシート２の内面側がガラス不織布４であるため、ウレタンのような発泡樹脂を表面材１とバックシート２との間に注入して発泡させた場合に発泡樹脂がバックシート２の内面側の不織布４に浸透して発泡樹脂の自己接着力により固化し、バックシート２と不織布４とが強固に接着されることになる。また、ガラス不織布４内に発泡樹脂が浸透して硬化一体化するためバックシート２の補強が行われるものである。
【００１７】
また、バックシート２の外面側の着色ポリエチレン樹脂よりなる樹脂層５により発泡樹脂が外部に漏れるのを防止するものであり、また、樹脂層５は着色してあって遮光性も持たせているので、紫外線により発泡層が劣化するのが防止できるものである。更に、ウレタンのような発泡樹脂の発泡時に静電気が発生してもバックシート２は内面側がガラス不織布４、外面側が樹脂層５であるため人が接触する外面側が絶縁体となって電流が流れにくく、バックシート２の外面側に人が触れても従来のように静電気による人間への衝撃がないものである。また、本実施形態のバックシート２もカッターナイフで容易に切断できるものであり、建築用パネルＡの成形時にはみ出したバックシート２の外へのはみ出し部分を容易にカッターナイフで切断することができるものである。更に、製造工程においてはガラス不織布４に着色されたポリエチレン樹脂を塗布して樹脂層４を形成するので、皺による不良が生じにくいものであり、また、本実施形態のバックシート２は２層であるため前述の３層の層構成となったバックシート２に比べてて製造コストも安くなるものである。
【００１８】
【発明の効果】
上記のように本発明の請求項１記載の発明にあっては、表面材とバックシートとの間に発泡樹脂を発泡充填して形成した発泡層を有する建築用パネルであって、バックシートの内面側を発泡層に発泡樹脂の発泡時の自己接着力により接着する不織布により構成すると共に該バックシートの外面側に不織布から発泡樹脂が漏れるのを防止し且つ遮光性も持たせるための樹脂層を形成してあるので、バックシートの内面側の不織布に発泡樹脂が浸透して発泡樹脂の自己接着力により固化して樹脂層とバックシートとが強固に接着されるものであり、また、不織布を設けることでバックシートが補強されるものであり、更に、遮光性のある樹脂層により不織布から発泡樹脂が外に漏れるのが防止できると共に、更に、紫外線により発泡層が劣化するのが防止できるものであり、しかも、外面側が絶縁体である樹脂層であるから、電流が流れにくく、従来のようにアルミ箔を用いたものに比べて静電気による人間への衝撃がなく、安全である。
【００１９】
また、請求項２記載の発明にあっては、上記請求項１記載の発明の効果に加えて、ガラス不織布と、ポリエチレン層、ポリエチレンテレフタレート層を内側から外側にかけて順に積層してバックシートを構成し、ポリエチレン層、ポリエチレンテレフタレート層のいずれか一方又は両方が着色又は模様付けしてあるので、簡単な構成で発泡樹脂との接着性が良好で、強度が強く、発泡樹脂の外への漏れ防止、紫外線よる発泡層の劣化防止が図れるとともに静電気による人間への衝撃がないようにできるものである。
【００２０】
また、請求項３記載の発明にあっては、上記請求項１記載の発明の効果に加えて、ガラス不織布の外面にポリエチレン樹脂を塗布してバックシートを構成してあるので、簡単な構成で発泡樹脂との接着性が良好で、強度が強く、発泡樹脂の外への漏れ防止、紫外線よる発泡層の劣化防止が図れるとともに静電気による人間への衝撃がないようにできるものであり、またバックシートが２層で構成してあるので、製造コストが安価となるものである。
【図面の簡単な説明】
【図１】本発明の一実施形態の断面図である。
【図２】同上に用いるバックシートの拡大断面図である。
【図３】同上に用いるバックシートの他の実施形態の拡大断面図である。
【図４】従来例に用いるバックシートの拡大断面図である。
【符号の説明】
１　表面材
２　バックシート
３　発泡層
４　不織布
５　樹脂層
【図１】
2004027617.tif 000003
【図２】
2004027617.tif 000004
【図３】
2004027617.tif 000005
【図４】
2004027617.tif 000006